(57)【要約】カテーテルとこのカテーテルを通る針とが設けられた外筒と、この外筒の中へ採血容器を挿入するのに応じてカテーテルから針を自動的に引っ込めるために設けられた手段とが備わっている瀉血装置。
2004503285.tif 000002
【特許請求の範囲】
【請求項１】
カテーテルとこのカテーテルを通る針とが設けられた外筒と、この外筒の中へ採血容器を挿入するのに応じてカテーテルから針を引っ込めるために設けられた手段とを備えたことを特徴とする瀉血装置。
【請求項２】
針引込手段が、外筒の中へ採血容器を挿入するのに応じて自動的に作用する請求項１に記載の装置。
【請求項３】
針の引っ込めをもたらす力が外筒の中へ採血容器を挿入するために加えられた力から得られるような構成である請求項１または２に記載の装置。
【請求項４】
針を引っ込めるための手段が、しなやかなコードのような引張要素によってもたらされている先行請求項のいずれか１つに記載の装置。
【請求項５】
引っ込められた針が、この装置のチャンバの内部に収納される先行請求項のいずれか１つに記載の装置。
【請求項６】
採血容器の取り外しによって針がその引込位置から移動しないような構成である先行請求項のいずれか１つに記載の装置。
【請求項７】
採血容器のシールに穴を明けるためにスパイクが設けられている先行請求項のいずれか１つに記載の装置。
【請求項８】
針が、中実構造のものである先行請求項のいずれか１つに記載の装置。
【請求項９】
機構上の利点が得られ、それによって、針の移動距離が、採取容器により針の引っ込めを起こすのに有効である時間について採取容器の移動距離よりも大きいような構成である先行請求項のいずれか１つに記載の装置。
【請求項１０】
カテーテルが、外筒の中心軸に対してずれている先行請求項のいずれか１つに記載の装置。
【請求項１１】
スパイクが、外筒の内部で中央に配置されているとともに、半径方向へ延びる通路を通してずれたカテーテルに流体連通しているような構成である先行請求項のいずれか１つに記載の装置。
【請求項１２】
カテーテルが、しなやかなものである先行請求項のいずれか１つに記載の装置。
【請求項１３】
針の引っ込めが、不可逆的である先行請求項のいずれか１つに記載の装置。
【請求項１４】
針の中に、針が血管を貫通したときに血液がカテーテルの中に見えるように、開口あるいは溝がある先行請求項のいずれか１つに記載の装置。
【請求項１５】
カテーテルが、外筒に取り外し可能に接続されている先行請求項のいずれか１つに記載の装置。
【請求項１６】
採取管と針との管に空動きがあり、それによって、採取管が外筒の中へ一部挿入されるまで針の引っ込みが開始しないような構成である先行請求項のいずれか１つに記載の装置。
【請求項１７】
添付図面に関して、かつ添付図面に示されたように、明細書中に実質的に記載された瀉血装置。
【発明の詳細な説明】
【０００１】
本発明は瀉血装置に関する。
【０００２】
瀉血の分野では、瀉血専門医やその他の人々を、不慮の刺針傷害のおそれや、例えばエイズウイルスあるいは肝炎ウイルスからの感染の付随的おそれから守ることは、特別な関心事である。
【０００３】
患者から１つあるいは複数の血液試料を採取するには、血管の中に針を挿入して血液を採取容器の中へ引き入れることを伴うのが一般的である。血管へ進入するためには、カテーテルを誘導針とともに使うことができる。そして、誘導針を取り外した後、カテーテルに採取容器を接続することができる。試料を採取した後、カテーテルは、別の採取のために血管の中に残されたり、あるいは廃棄のために血管から取り外されたりする。針に付着した潜在的感染性血液による刺針傷害のおそれが一番大きいのは針装置を取り外した後である。
【０００４】
現行の保護方法は、針装置を患者から取り外した後に、カバーあるいはさやによって、あるいは、瀉血専門医により作動されて針が保護ハウジングの中へ引っ込められる何らかの形態の針引込システムを針装置に設けることによって、針先端を隔離することに依存していることが多い。この針引込システムでは、引込力を与える蓄積エネルギー機構が使われているのが普通であり、引っ込めを開始するために手による関与が必要である。
【０００５】
また、試料採取の間に針が本来の位置にあるときに、たとえ針が正確に挿入されたとしても、非協力的な患者あるいは活動的すぎる患者の場合には、針によって血管が損傷するおそれがある。
【０００６】
本発明は、前記のような諸問題に対処するものである。
【０００７】
本発明によれば、カテーテルとこのカテーテルを通る針とが設けられた外筒と、この外筒の中へ採血容器を挿入するのに応じてカテーテルから針を引っ込めるために設けられた手段とが備わっている瀉血装置が提供される。
【０００８】
この引込手段は、採取容器の挿入に応じて自動的に作動することのできるものであるのが好ましい。
【０００９】
針の引っ込めを有効にするための力は、採血容器を外筒の中に挿入するために加えられた力から得ることができる。
【００１０】
針を引っ込めるための手段は、しなやかなコードのような引張要素によってもたらすことができる。
【００１１】
引っ込められた針は、この装置のチャンバの内部に収納することができる。
【００１２】
この構成は、採血容器の取り外しによって針がその引込位置から移動しないようなものであってもよい。
【００１３】
採血容器のシールに穴を明けるためにスパイクが設けられていてもよい。
【００１４】
この針は中実構造のものであってもよい。
【００１５】
この構成は、機構上の利点を得ることができ、それによって、針の移動距離が、採取容器により針の引っ込めを起こすのに有効である時間について採取容器の移動距離よりも大きいようなものであってもよい。
【００１６】
カテーテルは外筒の中心軸からずれていてもよい。
【００１７】
スパイクは、外筒の内部で中央に配置されていてもよく、半径方向へ延びる通路を通してずれたカテーテルに流体連通していてもよい。
【００１８】
カテーテルはしなやかなものであってもよい。
【００１９】
針の中には、針が血管を貫通したときに血液がカテーテルの中に見えるように、開口あるいは溝があってもよい。
【００２０】
本発明を、添付図面を参照して、単に例示として、以下に説明する。
【００２１】
図１〜図５によれば、瀉血装置には一端が開放され他端が閉鎖された外筒１０が備わっており、この外筒１０によって、その中心軸からずれて前方へ延びている静脈穿刺針１８が保持されていることがわかる。この針１８は、しなやかなカテーテル１６を通り、その先へ突出している。カテーテル１６は、外筒の突出部２２によって外筒１０に取り付けられている。針１８は、外筒１０の中心からずれていることによって、針とカテーテルとが外筒の中心に配置されていると仮定したときに必要になると思われる長さに比べて針の長さとカテーテルの長さを短くすることのできる浅い角度で、血管の中へ挿入することができる。この装置は、いったん挿入されると、図６に示されたように、患者に気楽に載置することができる。カテーテル１８は中空であっても中実であってもよいが、中実の針には、いっそう効率のよい切断先端のためにいっそう良好な治癒可能性があるという利点が備わっており、また、中実の針は、中空の針に一般に見られる血液充満空所がないためにいっそう安全である。
【００２２】
外筒１０の内部には推進板１２が摺動可能に取り付けられており、この推進板１２には、スパイク２０に対して軸方向へ心合わせされた中心開口が備わっている。推進板１２は、外筒１０の内部におけるアーチ形の案内部材３２によって支持されかつ案内される。軸方向に配置された中空のスパイク２０は、外筒１０の内部で、採取管２８が外筒１０の中へ充分な程度まで挿入されたときに採取管２８のストッパー３０に貫入するように作用する。半径方向に延びる連通用通路２６によって、血液をカテーテル１６からスパイク２０へ送る流路がもたらされている。
【００２３】
推進板１２と針１８とは、下面側チャンバ２４を介して、しなやかなコード１４で連結されており、コード１４は、針１８を下面側チャンバ２４の中へ引っ込めるための作動手段を設けるために、この装置の内部で折り返されている。
【００２４】
使用に際して、針１８とカテーテル１６とは、カテーテル１６の先へわずかに突出している針１８によって初めに穿刺されることで、血管の中へ挿入される。針１８の中における溝あるいは側孔は、挿入を調整するための手がかりとして血液をカテーテル１６の内部に直接見ることができるように設けることができ、カテーテル１６は、このような目的のために、少なくとも一部が透明材料から作られている。次に、シールされた排気ずみ採取管２８は、外筒１０の中へ挿入されて、スパイク２０により結果として生じる採取管のストッパー３０への穿刺によって、外筒１０の内部において前方へ移動する。
【００２５】
採取管２８が前方へ移動すると、手で加えられた力は、推進板１２を前方へ押すように作用し、それによって、しなやかなコード１４によって針１８がカテーテル１６から下面側チャンバ２４の中へ引き入れられることになる。そして、図４に示されたように、針１８は、外筒１０の中への採取管２８の挿入に応じて下面側チャンバ２４の中へ自動的に引き入れられる。カテーテル１６は血管の中に残り、また、下面側チャンバ２４の中への針の引き入れによって半径方向へ延びる通路２６がきれいになって、カテーテル１６とスパイク２０との間の流体連通が可能になり、それによって、血液を血管から採取管２８の中へ引き入れることができる。
【００２６】
本発明の特徴は、針１８がいったん引っ込められてしまうと、その動作を例えば推進板１２を後方へ引くことによって逆行させることができない、という一方向動作を作動機構がはたらくことである。また、針の引っ込めは、瀉血専門医の側における分離動作による蓄積エネルギーの解放を通してではなく、採取管２８の挿入動作に応じて直接行うことができる。それにもかかわらず、われわれは、針の引っ込めが、蓄積エネルギー手段、例えば採取容器の挿入動作に基づく蓄積エネルギーおよび／または針の引っ込めを使用の意図的関与を必要とすることなく有効にするために解放することのできる蓄積エネルギーによって影響されるという可能性を排除することはない。
【００２７】
充分な血液が採取管２８の中へ引き入れられると、採取管２８は、推進板１２を外筒１０のカテーテル側端部に残して、かつ、図５に示されたように、針１８を下面側チャンバ２４の内部へ安全に引き入れた状態に維持して、外筒１０から取り外される。その後、この装置は、新しい採取管の挿入によって別の採血をするための準備が整った状態でカテーテル１６を定位置に残すか、あるいは、患者から取り外されて刺針傷害のおそれなく廃棄するか、のいずれかができる。
【００２８】
しなやかなカテーテル１６を使うと、患者の気楽さは増大しやすく、また、針１８が初期段階で患者から下面側チャンバ２４の中へ移動すると、針が露出するおそれを少なくすることで瀉血専門医についての安全性が増大するとともに、針による血管の損傷のおそれを少なくすることで患者についての安全性が増大する。
【００２９】
図示された実施形態では、針１８の移動距離は採取管２８の移動距離に相当している。代わりの１つの実施形態では、採取管に対する針の移動の比率が１より大きく、好ましくは少なくとも１．３であるように、歯車要素を導入することができる。そして、図示されたこの実施形態の変形例では、推進板１２を省略することができるので、採取管２８は、コードのしなやかな部分あるいはそのしなやかな延長部分、例えば、外筒１０の内部を横断して例えばその直径に沿って張り渡された一片のテープの延長部分に直接作用するように配置され、かつ、下面側チャンバ２４を通して針１８に接続される。この実施形態では、採取管２８の前方端部は、コードのその部分あるいは延長部分に係合して、機構上の利点をともなって針の引っ込めを引き起し、それによって、１を超える、採取管に対する針の移動の比率が固定される。
【００３０】
図示された実施形態では、針１８を下面側チャンバ２４の中へ引っ込めるための手段はしなやかなコード１４によって設けられている。しかしながら、他の手段、例えば、針の不可逆的移動および／または歯車かみ合い移動だけを保証するように適切に設計することのできるレバーあるいはラック・ピニオンシステムも可能である。
【００３１】
さらに別の１つの実施形態では、装置の内部での血液の流れを調整することができるように、流路の中にバルブが組み込まれている。
【００３２】
別の実施形態では、カテーテル１６は、ルアースリップ金具あるいはルアーロック金具のようなカテーテルハブによって外筒１０に接続されており、それによって、カテーテル１６は、外筒１０を取り外した後に次の試料採取のために患者の体内に残ることが可能になる。このことで、後の注入もしくは試料採取にカテーテル１６を使用することができる。
【００３３】
さらに別の実施形態では、カテーテル１６からの針１８の引っ込めは空動き手段の使用によって修正することができ、それによって、採取管２８を挿入しても針がすぐに引っ込むことはない。例えば、推進板１２の最後方箇所は、採取管２８が外筒１０の中へ所定距離だけ部分的に挿入されるまで採取管２８に係合しないように、外筒１０の内方に配置することができる。
【図面の簡単な説明】
【図１】
図１は、使用準備状態にある本発明の装置の斜視断面図である。
【図２】
図２は、使用準備状態にあるこの装置のさらに別の断面図である。
【図３】
図３は、一部が挿入された採取管のあるこの装置の断面図である。
【図４】
図４は、完全に挿入された採取管のあるこの装置の断面図である。
【図５】
図５は、採取管が取り外され、さらに別の採取管の挿入準備状態にあるこの装置の断面図である。
【図６】
図６は、患者に用いられたこの装置の図示である。
【国際公開パンフレット】
2004503285.tif 000003
2004503285.tif 000004
2004503285.tif 000005
2004503285.tif 000006
2004503285.tif 000007
2004503285.tif 000008
2004503285.tif 000009
2004503285.tif 000010
2004503285.tif 000011
2004503285.tif 000012
2004503285.tif 000013
2004503285.tif 000014
2004503285.tif 000015
2004503285.tif 000016
2004503285.tif 000017
2004503285.tif 000018
【国際調査報告】
2004503285.tif 000019
2004503285.tif 000020